(57)【要約】【課題】簡易な構成でアノード電極における水分不足を好適に抑制し、優れた発電性能を発揮させ得る燃料電池セル及び燃料電池スタックを提供すること。【解決手段】本発明の燃料電池セルによれば、第１の触媒層における固体高分子電解質膜と反対側には、導電性を有する燃料ガス流通部が当接されており、この燃料ガス流路部に形成されている多数の孔が燃料ガスの流路となり、燃料ガスはこれらの孔を流通して第１の触媒層へ供給される。ここで、燃料ガス流通部は親水性を有するように構成されており、その親水性によって燃料ガスと共に供給される液体水を効率的に第１の触媒層へ供給することができる。よって、水分を乾燥し易いアノード電極側の第１の触媒層及び固体高分子電解質へ効率的に供給し、アノード電極側の水分不足による発電性能の劣化を有効に抑制できる。【選択図】図５
2009076404.tif 000002
【特許請求の範囲】
【請求項１】
固体高分子電解質膜と、その固体高分子電解質膜の一方の面に当接し、アノード電極として機能する第１の触媒層と、前記固体高分子電解質膜の他方の面に当接し、カソード電極として機能する第２の触媒層とを備え、前記第１の触媒層へ供給される燃料ガスと前記第２の触媒層へ供給される酸化剤ガスとから水を生成する電気化学反応を利用して発電を行う燃料電池セルであって、
前記第１の触媒層における前記固体高分子電解質膜と反対側に当接され、前記第１の触媒層へ供給する燃料ガスの流路となる多数の孔が形成され、燃料ガスと共に供給される液体水を前記第１の触媒層へ供給すべく親水性を有する燃料ガス流通部
を備えていることを特徴とする燃料電池セル。
【請求項２】
前記ガス流通部の内部から前記第１の触媒層まで連続した親水性領域が前記燃料ガスの流路に形成されていることを特徴とする請求項１に記載の燃料電池セル。
【請求項３】
前記燃料ガスと共に液体水を前記燃料ガス流通部へ供給する水供給手段を備え、
前記水供給手段は、
前記アノード電極の下方に設けられ、前記アノード電極から排出された水を貯蔵する水溜め部と、
前記燃料ガス流通部に供給される燃料ガス流に臨んで配設され、前記水溜め部に貯蔵されている水を噴射する小孔と、
を有していることを特徴とする請求項１又は２に記載の燃料電池セル。
【請求項４】
前記燃料ガス流通部は、前記第１の触媒層に当接し、前記第１の触媒層と相互に連通する多数の細孔を有する細孔層を含み、
前記細孔層は、導電性粒子とバインダーとを少なくとも含む材料から構成されるものであると共に、前記材料における一部が親水性を有し、残りが撥水性を有することを特徴とする請求項１から３のいずれかに記載の燃料電池セル。
【請求項５】
燃料ガス流通部は、前記細孔層と、その細孔層に当接する導電性多孔体とから構成され、
前記導電性多孔体は、その表面が親水性を有することを特徴とする請求項４記載の燃料電池セル。
【請求項６】
前記導電性多孔体は、その表面が固体高分子電解質により被覆されていることを特徴とする請求項５記載の燃料電池セル。
【請求項７】
少なくとも、前記小孔の内周面は撥水性を有することを特徴とする請求項１から６のいずれかに記載の燃料電池セル。
【請求項８】
請求項１から７のいずれかに記載の燃料電池セルを複数備え、
前記複数のセルを電気的に直列接続することによって構成される燃料電池スタック。
【発明の詳細な説明】
【技術分野】
【０００１】
本発明は、固体高分子型の燃料電池セル及び燃料電池スタックに関し、特に、簡易な構成でアノード電極における水分不足を好適に抑制し、優れた発電性能を発揮させ得る燃料電池セル及び燃料電池スタックに関するものである。
【背景技術】
【０００２】
固体高分子型燃料電池の単位セル（以下、単に「燃料電池セル」と称する）は、アノード電極（燃料極）とカソード電極（酸化剤極）との間に固体高分子電解質膜を挟持した構成を有し、アノード電極へ供給される燃料ガス（例えば、水素）とカソード電極へ供給される酸化剤ガス（例えば、空気）とを電気化学的に反応させることにより発電を行う。
【０００３】
具体的には、燃料電池セルでは、アノード電極において、水素がプロトン（Ｈ＋）化され（式（１））、生じたプロトンが、固体高分子電解質膜を介してカソード電極へ移動し、カソード電極において酸素と反応し、水を生成する（式（２））。これらのアノード電極及びカソード電極で生じる反応の結果として起電力を得る。
【０００４】
アノード電極：    Ｈ２→２Ｈ＋＋２ｅ−                      …（１）
カソード電極：  （１／２）Ｏ２＋２Ｈ＋＋２ｅ−→Ｈ２Ｏ       …（２）
【０００５】
燃料電池セルでは、カソード電極において水が生成する上に、アノード電極における反応によって生じたプロトンがカソード電極へ移動する際に、水を水和した状態で移動するので、カソード電極側では水分量が多くアノード電極側では水分量が少ないという水分の濃度勾配が生じる傾向にある。
【０００６】
かかる水分の濃度勾配により、一部の水はカソード電極からアノード電極へ逆拡散する。その一方で、アノード電極からカソード電極へのプロトン移動に伴う水の移動量は、プロトン移動量（即ち、電流密度の上昇）に比例して増加する。よって、運転時の電流密度が高くなる程、アノード電極側の水分量は減少し、その結果、高電流密度での運転時には、アノード電極に１００％ＲＨの加湿水素を供給したとしても、アノード電極側の水分不足によって、固体高分子電解質膜の抵抗が増加し発電の継続が困難となるドライアップ現象が生じるという問題があった。
【０００７】
かかる問題を解決する技術の１つとして、例えば、特許文献１において、電解質膜（固体高分子電解質膜）に隣接するアノード側触媒反応層（触媒層）に密着するアノード（アノード電極）が、セパレータ側に架橋ポリアクリル酸塩の含浸物を有する構成とされた燃料電池のセルが提案されている。具体的には、特許文献１に記載されるセルのアノードは、セパレータ側にガス流路を有する形状にポーラスカーボンを成形した後、この成形ポーラスカーボンをセパレータ側（流路が形成された側）において架橋ポリアクリル酸塩溶液に浸漬することで、セパレータ側に架橋ポリアクリル酸塩の含浸物を有する構成とされている。
【０００８】
この特許文献１に記載されるセルは、アノードが、セパレータ側に架橋ポリアクリル酸塩の含浸物を有しているので、この架橋ポリアクリル酸塩の含浸物の吸水性によってその周辺を湿潤状態とすることができ、アノード側における多少の水の過不足を架橋ポリアクリル酸塩の含浸物により補うことが可能となる。
【０００９】
また、アノード電極への水分供給を、水蒸気だけでなく液体水を利用して行うことが検討されており、特許文献１にも、セパレータ側に架橋ポリアクリル酸塩の含浸物を有するアノードへ、直に水分を供給する水分供給装置が記載されている
さらに、アノード電極側の水分不足を解消する手法として、固体高分子電解質膜の膜厚を薄くしたり、イオン交換容量を増大させたりすることによって、カソード電極からアノード電極への水分の逆拡散を促進する手法もある。
【特許文献１】特開平７−３２６３６１号公報（例えば、段落［００４８］〜［００５３］や図４など）
【発明の開示】
【発明が解決しようとする課題】
【００１０】
しかしながら、特許文献１に記載されるセルであってもなお、高電流密度での運転時におけるアノード電極側の水分不足を解消し、優れた発電性能を発揮させるには不十分であるという問題点があった。
【００１１】
また、一般的には、燃料電池セルには、ガス拡散層や細孔層（ＭＰＬ：Ｍｉｃｒｏ  Ｐｏｒｏｕｓ  Ｌａｙｅｒ）のような撥水性を要求される層が、触媒層及び固体高分子電解質層より燃料電池セルの厚み方向外側に配置されているので、液体水をアノード電極へ供給したとしても、撥水性を有するガス拡散層や細孔層が障害となって、アノード電極として機能する触媒層や固体高分子電解質膜への水の供給は困難であるという問題点があった。
【００１２】
さらに、特許文献１に記載されるような水分供給装置を用いて液体水をアノード電極へ供給するとなると、ポンプなどを駆動する電気エネルギーが必要になると共に、装置の複雑化に伴い発電システム全体の大型化を招いたり、製造コストが増大するなどの問題点を生じるという問題点があった。
【００１３】
また、固体高分子電解質膜の膜厚を薄くしたり、イオン交換容量を増大させたりなどにより、アノード電極側の水分不足を解消しようと試みた場合もまた、高電流密度での運転時においてアノード電極側の水分不足を解消するには不十分である上に、機械的強度の低下などの問題点が生じる。
【００１４】
本発明は、上述した問題点を解決するためになされたものであり、簡易な構成でアノード電極における水分不足を好適に抑制し、優れた発電性能を発揮させ得る燃料電池セル及び燃料電池スタックを提供することを目的としている。
【課題を解決するための手段】
【００１５】
この目的を達成するために、請求項１記載の燃料電池セルは、固体高分子電解質膜と、その固体高分子電解質膜の一方の面に当接し、アノード電極として機能する第１の触媒層と、前記固体高分子電解質膜の他方の面に当接し、カソード電極として機能する第２の触媒層とを備え、前記第１の触媒層へ供給される燃料ガスと前記第２の触媒層へ供給される酸化剤ガスとから水を生成する電気化学反応を利用して発電を行うものであって、前記第１の触媒層における前記固体高分子電解質膜と反対側に当接され、前記第１の触媒層へ供給する燃料ガスの流路となる多数の孔が形成され、燃料ガスと共に供給される液体水を前記第１の触媒層へ供給すべく親水性を有する燃料ガス流通部を備えている。
【００１６】
請求項２記載の燃料電池セルは、請求項１記載の燃料電池セルにおいて、前記ガス流通部の内部から前記第１の触媒層まで連続した親水性領域が前記燃料ガスの流路に形成されている。
【００１７】
請求項３記載の燃料電池セルは、請求項１又は２に記載の燃料電池セルにおいて、前記燃料ガスと共に液体水を前記燃料ガス流通部へ供給する水供給手段を備え、前記水供給手段は、前記アノード電極の下方に設けられ、前記アノード電極から排出された水を貯蔵する水溜め部と、前記燃料ガス流通部に供給される燃料ガス流に臨んで配設され、前記水溜め部に貯蔵されている水を噴射する小孔と、を有している。
【００１８】
請求項４記載の燃料電池セルは、請求項１から３のいずれかに記載の燃料電池セルにおいて、前記燃料ガス流通部は、前記第１の触媒層に当接し、前記第１の触媒層と相互に連通する多数の細孔を有する細孔層を含み、前記細孔層は、導電性粒子とバインダーとを少なくとも含む材料から構成されるものであると共に、前記材料における一部が親水性を有し、残りが撥水性を有する。
【００１９】
請求項５記載の燃料電池セルは、請求項４記載の燃料電池セルにおいて燃料ガス流通部は、前記細孔層と、その細孔層に当接する導電性多孔体とから構成され、前記導電性多孔体は、その表面が親水性を有する。
【００２０】
請求項６記載の燃料電池セルは、請求項５記載の燃料電池セルにおいて、前記導電性多孔体は、その表面が固体高分子電解質により被覆されていることを特徴とする請求項５記載の燃料電池セル。
【００２１】
請求項７記載の燃料電池セルは、請求項１から６のいずれかに記載の燃料電池セルにおいて、少なくとも、前記小孔の内周面は撥水性を有する。
【００２２】
請求項８記載の燃料電池スタックは、請求項１から７のいずれかに記載の燃料電池セルを複数備え、前記複数のセルを電気的に直列接続することによって構成される。
【発明の効果】
【００２３】
請求項１記載の燃料電池セルによれば、第１の触媒層における固体高分子電解質膜と反対側には、導電性を有する燃料ガス流通部が当接されており、この燃料ガス流路部に形成されている多数の孔が燃料ガスの流路となり、燃料ガスはこれらの孔を流通して第１の触媒層へ供給される。
【００２４】
このように第１の触媒層へ燃料ガスを供給する一方で、固体高分子電解質膜における該第１の触媒層とは反対側の面に当接する第２の触媒層へ酸化剤ガスを供給することによって、第１の触媒層がアノード電極として機能し、第２の触媒層がカソード電極として機能し、燃料ガスと酸化剤ガスとから水を生成する電気化学反応が生じ、その結果として、電力を得ることができる。
【００２５】
ここで、燃料ガス流通部は親水性を有するように構成されており、その親水性によって燃料ガスと共に供給される液体水を効率的に第１の触媒層へ供給することができる。よって、水分を乾燥し易いアノード電極側の第１の触媒層及び固体高分子電解質へ効率的に供給し、アノード電極側の水分不足による発電性能の劣化を有効に抑制できるという効果がある。
【００２６】
請求項２記載の燃料電池セルによれば、請求項１記載の燃料電池セルの奏する効果に加えて、次の効果を奏する。燃料ガスの流路には、ガス流通部の内部から第１の触媒層まで連続した親水性領域が形成されているので、燃料ガスと共に供給されて燃料ガスの流路を通過する液体水を、この連続する親水性領域により第１の触媒層へと誘導させることができる。よって、アノード電極側へ水分供給をより効率的に行い得るという効果がある。
【００２７】
請求項３記載の燃料電池セルは、請求項１又は２に記載の燃料電池セルの奏する効果に加えて、次の効果を奏する。液体水は、水溜め部と小孔とを有する水供給手段によって燃料ガスと共に燃料ガス流通部へと供給される。
【００２８】
ここで、水供給手段における水溜め部は、アノード電極の下方に設けられており、アノード電極から排出された水を該水溜め部に貯蔵することができる。また、水供給手段における小孔は、燃料ガス流通部に供給される燃料ガス流に臨んで配設されており、燃料ガス流を利用して、水溜め部に貯蔵されている液体水を、小孔から燃料ガス流通部へ向けて噴出させることができる。
【００２９】
よって、請求項３記載の燃料電池セルによれば、発電に必要な燃料ガスの流れを利用し、電気化学反応の結果としてアノード電極側に存在する余剰水をアノード電極側の加湿に再利用して、第１の触媒層及び固体高分子電解質膜へ供給することができる。
【００３０】
そのため、動力を要する水分供給装置を別途設けることなくアノード電極側へ水分を供給することができるので、発電システム全体の大型化や製造コストの増大などを招くことなく発電性能を向上させることができる上に、発電したエネルギーが駆動源として消費されることも回避できるという効果がある。
【００３１】
また、複数の燃料電池セルを電気的に直接接続して燃料電池スタックを構成した場合に、各燃料電池セルにおいてアノード電極側が好適に加湿されるので、一部の燃料電池セルにおけるドライアップ現象に起因する発電不能の発生を防止できるという効果がある。
【００３２】
また、アノード電極側の水分が不足しがちな高電流密度での運転時には、燃料ガスの流量（流速）も増加するので、その結果として、小孔からの水の噴出量も増大し、アノード電極側へのより多くの水分を供給することができるという効果がある。また、インピーダンス計測などのフィードバック制御機構を要することなく、アノード電極側（第１の触媒層及び固体高分子電解質）の水分を制御することができるという効果がある。
【００３３】
請求項４記載の燃料電池セルによれば、請求項１から３のいずれかに記載の燃料電池セルの奏する効果に加えて、次の効果を奏する。燃料ガス流通部は、第１の触媒層に当接し、第１の触媒層と相互に連通する多数の細孔を有する細孔層を含んでいる。ここで、この細孔層は、導電性粒子とバインダーとを含む材料から構成されるので、導電性粒子に起因する導電性を有している。
【００３４】
また、導電性粒子とバインダーとを含む材料の一部が親水性を有し、残りが撥水性を有しているので、親水性の材料（例えば、親水性の導電性粒子及び／又は親水性のバインダー）に起因する親水性領域と、撥水性の材料（例えば、撥水性の導電性粒子及び／又は撥水性のバインダー）に起因する撥水性領域とを、細孔層の内部に形成することができる。
【００３５】
なお、「親水性の導電性粒子」としては、例えば、種々の処理によって表面に親水性が付与された導電性粒子（例えば、親水性材料が表面に被覆された導電性粒子や、親水性処理が表面に施されている導電性粒子など）や、親水性材料から形成されていることによりその表面が予め親水性を有する導電性粒子などが含まれる。
【００３６】
よって、燃料ガスと共に供給される水（小孔を介して水溜め部から供給される水）を、親水性領域を経由させて第１の触媒層及び固体高分子電解質膜へ供給し易くすることができるので、発電性能を向上させることができるという効果がある。
【００３７】
また、細孔層内の水は、撥水性領域に比べて親水性領域を優先的に通過するので、水の流路と燃料ガスの流路とを分離し易く、水による燃料ガス流路の閉塞を防止できるという効果がある。
【００３８】
請求項５記載の燃料電池セルによれば、請求項４記載の燃料電池セルの奏する効果に加えて、次の効果を奏する。燃料ガス流通部は、細孔層に加え、その細孔層に当接し、その表面に親水性を有する導電性多孔体を含むので、燃料ガスと共に供給された液体水（例えば、小孔を介して水溜め部から供給された液体水）を、導電性多孔体から細孔層へ好適に移動させることができ、その結果として、水が触媒層及び固体高分子電解質へ好適に供給されることとなる。よって、発電性能を向上させることができるという効果がある。
【００３９】
なお、請求項５において、「表面が親水性を有する導電性多孔体」としては、例えば、親水性材料から形成されていることによりその表面に親水性が付与されている導電性多孔体や、表面が親水性材料（例えば、固体高分子電解質）によって被覆された導電性多孔体や、親水性処理（酸化処理やアルカリ処理など）が表面に施されている導電性多孔体などが含まれる。
【００４０】
請求項６記載の燃料電池セルによれば、請求項５記載の燃料電池セルの奏する効果に加えて、次の効果を奏する。導電性多孔体の表面は、固体高分子電解質により被覆されているので、導電性多孔体の表面にさらなる親水性が付与されることとなり、燃料ガスと共に供給された液体水（例えば、小孔を介して水溜め部から供給された液体水）を、より好適に第１の触媒層へ移動させることができ、その結果として、発電性能を好適に向上させ得るという効果がある。
【００４１】
請求項７記載の燃料電池セルによれば、請求項１から６のいずれかに記載の燃料電池セルにおいて、少なくとも、小孔の内周面が撥水性を有するので、運転が停止された場合、即ち、燃料ガスの流量（流速）がゼロとなる場合に、水溜り部に貯蔵されている液体水が流れ出すことを防止することができるという効果がある。
【００４２】
請求項８記載の燃料電池スタックによれば、請求項１から７のいずれかに記載の燃料電池セルが電気的に直列接続されて構成されているので、請求項１から７のいずれかに記載の燃料電池セルが奏する効果と同様の効果を奏する。
【発明を実施するための最良の形態】
【００４３】
以下、本発明の好ましい実施形態について添付図面を参照して説明する。図１は、本発明の第１実施形態における燃料電池セル１０を有する燃料電池スタック５０を模式的に示す斜視図である。図１に示すように、燃料電池スタック５０は、後述する燃料電池セル１０の複数個が矢印Ｘ−Ｘ方向に積層された積層体である。
【００４４】
燃料電池スタック５０において、隣接する燃料電池セル１０は、一方の燃料電池セル１０における導電性のカソード側セパレータ１１（図２参照）と、他方の燃料電池セル１０における導電性のアノード側セパレータ１２（図２参照）との接触によって、電気的に直列接続されている。
【００４５】
本実施形態の燃料電池スタック５０において、図１における最も手前側に位置する燃料電池セル１０の露出表面には、アノード側セパレータ１２（図２参照）の酸化剤ガス流路１２ｃ（図２参照）に連通する酸化剤ガス供給口５０ａが開口されており、各燃料電池セル１０のカソード電極１３（図４（ｂ）参照）へ供給される酸化剤ガスは、この酸化剤ガス供給口５０ａから燃料電池スタック５０内部へ供給される。
【００４６】
また、図１に示す燃料電池スタック５０における最も手前側に位置する燃料電池セル１０の露出表面には、アノード側セパレータ１２（図２参照）の燃料ガス流路１２ａ（図２参照）に連通する燃料ガス供給口５０ｂが開口されており、各燃料電池セル１０のアノード電極１４（図４（ｂ）参照）へ供給される燃料ガスは、この燃料ガス供給口５０ｂから燃料電池スタック５０内部へ供給される。
【００４７】
一方で、図１に示す燃料電池スタック５０における最も奥側に位置する燃料電池セル１０の露出表面には、カソード側セパレータ１１（図２参照）の燃料ガス流路１１ｂ（図２参照）に連通する燃料ガス排出口５０ｃ（図１では燃料電池スタック５０の裏面側となるため、手前側に隠れ線により図示）が開口されている。燃料ガス供給口５０ｂから燃料電池スタック５０の内部へ供給された燃料ガスは、最終的に、この燃料ガス排出口５０ｃから排出される。
【００４８】
よって、酸化剤ガス供給口５０ａ及び燃料ガス供給口５０ｂから、それぞれ、酸化剤ガス及び燃料ガスを燃料電池スタック５０の内部へ供給することにより、各燃料電池セル１０を発電させることができ、その結果として、燃料電池スタック５０から直流電流を取り出すことができる。燃料電池スタック５０には、上部に集電端子５０ｄ，５０ｅが設けられており、各燃料電池セル１０の発電の結果生じた電流は、これらの集電端子５０ｄ，５０ｅから直流電流として取り出すことができる。
【００４９】
次に、図２から図５を参照して、燃料電池スタック５０を構成する本実施形態の燃料電池セル１０について具体的に説明する。図２は、燃料電池セル１０の分解斜視図である。なお、図２を説明する上で、矢印Ｕ側を「上」、矢印Ｄ側を「下」、矢印Ｒ側を「右」、矢印Ｌ側を「左」として説明する。
【００５０】
図２に示すように、燃料電池セル１０は、アノード側セパレータ１２と、インナーマニホールド２１と、インナーマニホールド２１に装着される支持板１８と、後述する多孔体流路付き電極アセンブリ（以下、「多孔体流路付きＭＥＡ」と称する）３０と、カソード側セパレータ１１とが、この順で積層された積層体である。
【００５１】
アノード側セパレータ１２及びカソード側セパレータ１１は、いずれも、導電性のプレートとして構成される。ここで、カソード側セパレータ１１の上側には、酸化剤ガスを流入し、カソード電極１３（図４（ｂ）参照）へ供給する酸化剤ガス流路１１ａが断面略矩形に貫通形成されている。
【００５２】
また、カソード側セパレータ１１の右下側には、アノード電極１４（図４（ｂ）参照）へ供給する燃料ガスを流入する燃料ガス流路１１ｂが穿孔されており、カソード側セパレータ１１の左上側には、隣接する燃料電池セル１０から排出された燃料ガスの排出経路となる燃料ガス流路１１ｃが穿孔されている。
【００５３】
一方、アノード側セパレータ１２の上側には、酸化剤ガスを隣接する燃料電池セル１０へ供給する酸化剤ガス流路１２ｃが酸化剤ガス流路１１ａより小さい断面略矩形に貫通形成されている。
【００５４】
また、アノード側セパレータ１２の左上側には、アノード電極１４（図４（ｂ）参照）から排出された燃料ガスの排出経路となる燃料ガス流路１２ｂが穿孔されており、アノード側セパレータ１２の右下側には、燃料ガスを隣接する燃料電池セル１０へ供給する燃料ガス流路１２ａが穿孔されている。
【００５５】
インナーマニホールド２１は、燃料電池セル１０の内部を流通する燃料ガスの流路が形成された樹脂製の部材であり、ポリエチレンやポリプロピレンなどの撥水性を有する樹脂から構成されることが好ましい。ここで、図２と合わせて図３を参照しつつ、インナーマニホールド２１の構成について説明する。図３（ａ）は、図２に示すインナーマニホールド２１のＺ−Ｚ線における断面を矢印ＩＩＩａ方向から見た場合の断面図であり、図３（ｂ）は、図２に示すインナーマニホールド２１における裏面側の斜視図である。
【００５６】
なお、図３（ａ）において、インナーマニホールド２１における一方の燃料ガス流路２１ｂを仮想線によって図示し、他方の燃料ガス流路２１ｃを隠れ線によって図示している。なお、図３に示す矢印は、図２に対応する方向を示す。即ち、矢印Ｕ側は「上」、矢印Ｄ側は「下」、矢印Ｒ側は「右」、矢印Ｌ側は「左」を示す。
【００５７】
このインナーマニホールド２１は、凹部２１ｋと窓部２１ｇとを有しており、これらの凹部２１ｋ及び窓部２１ｇに多孔体流路付きＭＥＡ３０を収容可能に構成されている。具体的には、図３（ａ）及び図３（ｂ）に示すように、インナーマニホールド２１には、その片面側における酸化剤ガス流路２１ａ及び燃料ガス流路２１ｂ，２１ｃより面方向内側に、多孔体流路付きＭＥＡ３０におけるカソード電極１３及び固体高分子電解質１５に対応する形状の凹部２１ｋが厚さ方向に凹設されている。なお、凹部２１ｋは、図３（ａ）及び図３（ｂ）に示すように、インナーマニホールド２１の下側端面（図３（ｂ）における矢印Ｄ側の端面）の側が開放された凹部として形成されている。また、インナーマニホールド２１には、凹部２１ｋの底面から厚さ方向に多孔体流路付きＭＥＡ３０におけるアノード電極１４に対応する形状の窓部２１ｇが貫通形成されている。
【００５８】
また、図２、図３（ａ）及び図３（ｂ）に示すように、インナーマニホールド２１には、カソード側セパレータ１１の酸化剤ガス流路１１ａ及びアノード側セパレータ１２の酸化剤ガス流路１２ｃに対応する位置に、これらの流路１１ａ，１２ｃと連通する酸化剤ガス流路２１ａが貫通形成されている。なお、この酸化剤ガス経路２１ａは、酸化剤ガス流路１１ａより小さく、酸化剤ガス流路１２ｃと略同一の断面矩形状とされている。
【００５９】
また、図２及び図３（ｂ）に示すように、インナーマニホールド２１には、カソード側セパレータ１１の燃料ガス流路１１ｂ及びアノード側セパレータ１２の燃料ガス流路１２ａに対応する位置に、これらの流路１１ｂ，１２ａと連通する燃料ガス流路２１ｂが穿孔されている。
【００６０】
さらに、図２及び図３（ｂ）に示すように、インナーマニホールド２１には、カソード側セパレータ１１の燃料ガス流路１１ｃ及びアノード側セパレータ１２の燃料ガス流路１２ｂに対応する位置に、これらの流路１１ｃ，１２ｂと連通する燃料ガス流路２１ｃが穿孔されている。
【００６１】
また、図２及び図３（ａ）に示すように、インナーマニホールド２１における凹部２１ｋと反対側の面には、燃料ガス流路２１ｂに連通する溝部２１ｄと、その溝部２１ｄから窓部２１ｇの下側の開口端面まで延びる溝部２１ｅとが形成されている。詳細は後述するが、燃料電池セル１０において、燃料ガス流路２１ｂから流入された燃料ガスは、これらの溝部２１ｄ，２１ｅを流通し、アノード電極１４へ供給される。
【００６２】
一方で、図２及び図３（ａ）に示すように、インナーマニホールド２１における凹部２１ｋと反対側の面には、燃料ガス流路２１ｃに連通すると共に、窓部２１ｇの上側の開口端面に重なりつつ延びる溝部２１ｈが形成されている。詳細は後述するが、燃料電池セル１０において、アノード電極１４から排出する燃料ガスは、窓部２１ｇの上側の端面の側から溝部２１ｈへ流入し、溝部２１ｈ及び燃料ガス流路２１ｃ，１１ｃを経て、最終的に燃料ガス排出口５０ｃから排出される。
【００６３】
さらに、図３（ａ）及び図３（ｂ）に示すように、インナーマニホールド２１には、凹部２１ｋの底面には、窓部２１ｇより下方側（図３（ｂ）における矢印Ｄ側）に、窓部２１ｇの開口端面側が開放された凹部２１ｉと、凹部２１ｉより浅い凹部２１ｍとがそれぞれ厚さ方向に凹設されている。なお、凹部２１ｍは、支持板１８に対応する形状に凹設されている。燃料電池セル１０の構成時には、支持板１８が凹部２１ｍに装着され、凹部２１ｉと支持板１８とから、窓部２１ｉの開口端面側に開口を有する水溜め部４０が形成される。
【００６４】
また、図２、図３（ａ）及び図３（ｂ）に示すように、インナーマニホールド２１の溝部２１ｅには、凹部２１ｉの下方位置にて連通するピンホール２１ｆが穿孔されている。かかるピンホール２１ｆは、溝部２１ｅを燃料ガスが流通すると、その流れによって内部の圧力が低下するので、水溜め部４０に液体水Ｗ（図４及び図５参照）が貯留（貯蔵）されている場合には、その液体水Ｗをピンホール２１ｆから吸い上げて、燃料ガスの流れによってアノード電極１４へ向けて噴出させることができる。
【００６５】
上述したように、インナーマニホールド２１は、撥水性を有する樹脂から構成されているので、ピンホール２１ｆの内周面もまた撥水性に構成されている。よって、溝部２１ｅを流通する燃料ガスの流量が減じた場合（特に、流量がゼロになった場合）であっても、水溜め部４０に貯留されている液体水の流出が毛管排除圧によって防止される。
【００６６】
なお、このピンホール２１ｆの直径は、溝部２１ｅを流通する燃料ガスの流量が減じた場合（特に、流量がゼロになった場合）であっても、水溜め部４０に貯留された液体水Ｗがピンホール２１ｆから流出しない径とされている。
【００６７】
ここで、毛管圧ｈと毛管半径ｒとの関係を示す以下の式（Ｉ）を用いて、溝部２１ｅを流通する燃料ガスの流量が減じた場合であっても液体水Ｗが流出しないピンホール２１ｆの直径を考慮する。
【００６８】
ｈ＝２Ｔｃｏｓθ／（ρｇｒ）    …（Ｉ）
ｈ：毛管圧［ｍＡｑ］，Ｔ：液体の表面張力［Ｎ／ｍ］，θ：接触角［度］，
ρ：液体の密度［ｋｇ／ｍ３］，ｇ：重力加速度［ｍ／ｓ２］，
ｒ：毛管の内径（半径）［ｍ］
【００６９】
水溜め部４０に貯留される液体水Ｗによってピンホール２１ｆが受ける水圧（即ち、ピンホール２１ｆの中心から、液体水Ｗの水面までの高さ）ｈが０．０１〜０．０５［ｍＡｑ］程度である場合に、ピンホール２１ｆの内周壁の接触角θが、ポリエチレンやポリプロピレンのような撥水性樹脂が示す９５〜１０５［度］程度であり、表面張力Ｔ及び密度ρに影響する環境温度を１０〜８０［℃］であるという条件下では、ピンホール２１ｆから液体水Ｗが流出しないためのピンホール２１ｆの直径（２ｒ）は、０．０４〜０．８［ｍｍ］程度が必要であると算出される。
【００７０】
また、図２に示すように、多孔体流路付きＭＥＡ３０は、固体高分子電解質膜１５と、その固体高分子電解質膜１５の片面に配設され、固体高分子電解質膜１５と略同一の形状を有するカソード電極１３と、固体高分子電解質膜１５におけるカソード電極１３とは反対側の面に配設され、固体高分子電解質膜１５及びカソード電極１４より小さく構成されるアノード電極１３とから構成される積層体である。
【００７１】
この多孔体流路付きＭＥＡ３０は、インナーマニホールド２１の凹部２１ｍに支持板１８を装着した上で、多孔体流路付きＭＥＡ３０のアノード電極１４を窓部２１ｇに緩挿して、固体高分子電解質膜１５を凹部２１ｋの底面に当接させ、この当接部を接着（シール）することによって、インナーマニホールド２１に収容される。
【００７２】
そして、多孔体流路付きＭＥＡ３０が収容されたインナーマニホールド２１におけるカソード電極１３側にカソード側セパレータ１１を配置し、他方の側にアノード側セパレータ１２を配置し、これらのセパレータ１１，１２でインナーマニホールド２１を挟持することによって、燃料電池セル１０が構成される。
【００７３】
図４（ａ）は、図２の矢印ＩＶａ方向から見た、即ち、アノード側セパレータ１２の側から見た燃料電池セル１０の平面図であり、図４（ｂ）は、図４（ａ）におけるＩＶｂ−ＩＶｂ線における燃料電池セル１０の断面図である。また、図５は、図４（ｂ）におけるＥ部の拡大図である。
【００７４】
なお、理解を容易にするために、図４（ａ）において、アノード側セパレータ１２の裏面側（紙面裏側）に隠れた構造の一部（酸化剤ガス流路１１ａ，溝部２１ｄ，２１ｅ，２１ｈ、窓部２１ｇ、ピンホール２１ｆ）を隠れ線によって図示すると共に、図４（ｂ）において、カソード側セパレータ１１の燃料ガス流路１１ｂとアノード側セパレータ１２の燃料ガス流路１２ａとを仮想線によって図示し、カソード側セパレータ１１の燃料ガス流路１１ｃを隠れ線によって図示している。
【００７５】
多孔体流路付きＭＥＡ３０は、上述の通り、固体高分子電解質膜１５と、その固体高分子電解質１５の片面に配設され、固体高分子電解質カソード電極１３及びアノード電極１４とから構成される積層体である。ここで、固体高分子電解質膜１５としては、例えば、Ｎａｆｉｏｎ（登録商標：デュポン社製）やＡｃｉｐｌｅｘ（登録商標：旭化成（株）製）など、固体高分子型燃料電池に適用可能な固体高分子電解質膜を使用することができる。
【００７６】
カソード電極１３は、図４（ｂ）に示すように、板状の多孔体１３ａと、その多孔体１３ａの片面に配設された細孔層（ＭＰＬ）１３ｂと、その細孔層１３ｂにおける多孔体１３ａとは反対側の面に配設された触媒層１３ｃとが一体的に形成されたものである。
【００７７】
また、アノード電極１４は、大きさ（面積）以外、上述したカソード電極１３と同様に構成されている。即ち、アノード電極１４もまた、図４（ｂ）に示すように、板状の多孔体１４ａと、その多孔体１４ａの片面に配設された細孔層（ＭＰＬ）１４ｂと、その細孔層１４ｂにおける多孔体１４ａとは反対側の面に配設された触媒層１４ｃとが一体的に形成されたものである。
【００７８】
触媒層１３ｃ，１４ｃは、例えば、カーボン粒子にプラチナなどの触媒が担持された触媒担持カーボンと電解質とを含んで構成された触媒層を採用することができる。図４（ｂ）に示すように、カソード電極１３は、触媒層１３ｃを固体高分子電解質膜１５に当接させて配置され、その一方で、アノード電極１４は、触媒層１４ｃを固体高分子電解質膜１５に当接させて配置されており、これらの触媒層１３ｃ，１４ｃが、酸素と水素との電気化学反応を促進する。
【００７９】
多孔体１３ａ，１４ａは、導電性を有すると共に、相互に連通する多くの空孔（例えば、最小内径が１０μｍ〜５００μｍ程度の空孔）を有する。かかる多孔体１３ａ，１４ａは、三次元の網目状に形成された網材や、連続気泡が形成された発泡材から構成することができる。ここで、例えば、繊維からなる網材を多孔体として採用する場合には、網材が導電性を有する必要性から導電性の繊維が使用される。導電性の繊維としては、例えば、チタン、ＳＵＳ、タンタル、ハステロイなどの耐食性及び導電性を有する金属繊維や、ニッケル、カーボンなどの繊維を使用することができる。なお、網材は織布であっても不織布であってもよい。
【００８０】
このように、本実施形態では、相互の連通する多くの空孔を有する多孔体１３ａ，１４ａが電極１３，１４に採用されているので、かかる空孔が、酸化剤ガス（本実施形態では、空気）や燃料ガス（本実施形態では、水素）の流路の一部として機能する。即ち、本実施形態のカソード電極１３は、カソード電極としての機能と、気体流路（酸化剤ガス流路）としての機能との両方を兼ね備えている。同様に、本実施形態のアノード電極１４は、アノード電極としての機能と、気体流路（燃料ガス流路）としての機能との両方を兼ね備えている。
【００８１】
また、多孔体１３ａ，１４ａとしては、導電性と共に親水性を有することが、反応により生成した水を多孔体１３ａ，１４ａの厚さ方向に拡散させることができるので、液体水によって孔が閉塞されることを防止できるので好ましい。なお、本実施形態では、多孔体１３ａ，１４ａとして、親水的なチタン繊維からなる網材（チタン繊維焼結板）を採用する。
【００８２】
特に、アノード電極１４の多孔体１４ａは、その表面を親水的に構成することにより、加湿目的で供給された水（水蒸気，液体水）が、厚さ方向へ容易に拡散されて、触媒層１４ｃ及び固体高分子電解質膜１５側へ移動し易くなる、即ち、加湿目的で供給された水を容易に触媒層１４ｃ及び固体高分子電解質膜１５側へ到達させることができるという利点も有する。
【００８３】
また、アノード電極１４の多孔体１４ａは、固体高分子電解質（例えば、Ｎａｆｉｏｎ（登録商標：デュポン社製）など）の溶液に浸漬後、乾燥させ、親水性である固体高分子電解質膜を被覆することができる。また、その他にも、金属酸化物などの親水性材料を表面に被覆したりか、又は、表面酸化処理などの親水性処理を表面に施すことにより、その表面にさらに親水性を付与することができる。アノード電極１４の多孔体１４ａの表面にさらなる親水性を付与することにより、加湿目的で供給された水をより確実に触媒層１４ｃ及び固体高分子電解質膜１５側へ到達させ得る。なお、多孔体１４ａの表面を親水性材料により被覆する場合には、多孔体１４ａの導電性が保持されるよう、薄膜で被覆することが好ましい。
【００８４】
本実施形態では、アノード電極１４の多孔体１４ａとして、表面が固体高分子電解質（Ｎａｆｉｏｎ（登録商標：デュポン社製））によって４〜５ｍｇ／ｃｍ２程度の塗布量で被覆され、さらに親水性を向上させたチタン繊維焼結板を使用した。
【００８５】
細孔層１３ｂ，１４ｂは、導電性を有すると共に、相互に連通する多くの空孔を有する。なお、細孔層１３ｂ，１４ｂにおける空孔は、上述した多孔体１３ａ，１４ａの空孔より小さい細孔（例えば、最小内径が０．０１μｍ〜数μｍ程度であり、ピークが２μｍ程度より小さい空孔）である。また、細孔層１３ｂ，１４ｂには、触媒は含まれていない。また、かかる細孔層１３ｂ，１４ｂは、例えば、２００μｍ以下の厚さで形成される。
【００８６】
細孔層１３ｂ，１４ｂは、多孔体１３ａ，１４ａを流通するガス（酸化剤ガス、燃料ガス）を触媒層１３ｃ，１４ｃへ供給する気体流路としての機能と、触媒層１３ｃ、１４ｃと多孔体１３ａ，１４ａとの間における電子伝達を容易にする機能と、触媒層１３ｃ，１４ｃ内の水を細孔層１３ｂ，１４ｂへ移動させて、適度に触媒層を保水しつつ余剰水を系外に排出し、水によって触媒層１３ｃ，１４ｃでの電気化学反応が阻害されることを抑制する機能とを担う。
【００８７】
細孔層１３ｂ，１４ｂは、カーボン粒子などの導電性粒子とバインダーとを含んで構成されるが、バインダーとして、ＰＴＦＥ（ポリテトラフルオロエチレン（Ｐｏｌｙｔｅｔｒａｆｌｕｏｒｏｅｔｈｙｌｅｎｅ））や、ポリエチレンや、ポリプロピレンなどの撥水性材料を用いることにより、細孔層１３ｂ，１４ｂに撥水性を付与することができる。細孔層１３ｂ，１４ｂが撥水性を有することにより、細孔層１３ｂ，１４ｂ内に移動した水を細孔層１３ｂ，１４ｂから排出し易くなるので、発電密度が向上するので好ましい。
【００８８】
本実施形態では、細孔層１３ｂ，１４ｂとして、例えば、導電性粒子（例えば、カーボンブラックなどのカーボン粒子）と、バインダーであるＰＴＦＥとから構成される細孔層を採用した。
【００８９】
ただし、アノード電極１４の細孔層１４ｂは、カーボン粒子として、親水性が付与された導電性粒子を使用した。親水性が付与された導電性粒子としては、例えば、固体高分子電解質であるＮａｆｉｏｎ（登録商標：デュポン社製）によって表面が被覆されたカーボンブラックや、表面酸化処理を施したカーボンブラックなどを採用できる。
【００９０】
このように、アノード電極１４の細孔層１４ｂは、親水性が付与された導電性粒子とＰＴＦＥとを含んで構成されるので、かかる細孔層１４ｂ内には、親水性が付与された導電性粒子に起因する厚さ方向に実質的に連続する親水性領域と、ＰＴＦＥに起因する撥水性領域とが形成される。
【００９１】
よって、アノード電極１４の細孔層１４ｂは、加湿目的で多孔体１４ａ側から供給された水（水蒸気，液体水）を、触媒層１４ｃ及び固体高分子電解質膜１５へ容易に移動させて、触媒層１４ｃ及び固体高分子電解質膜１５における水分不足の状態発生を抑制する機能も有する。
【００９２】
また、細孔層１４ｂは、その内部に、撥水性であるＰＴＦＥに起因して形成される撥水性領域が形成されている。細孔層１４ｂ内の水は、撥水性領域に比べて親水性領域を優先的に通過するので、水の流路と燃料ガスの流路とが分離され易く、水による撥水性領域の閉塞が防止され、その結果として、ガス流路の閉塞が防止される。
【００９３】
なお、アノード電極１４の細孔層１４ｂが、親水性が付与された導電性粒子と撥水性のバインダー（例えば、ＰＴＦＥ）とに加え、ポリメチルメタクリレート（ＰＭＭＡ）やポリカーボネートなどの親水性のバインダーを含んで構成されていてもよい。親水性のバインダーを用いることにより、親水性バインダーによって親水性領域を形成できると共に、親水性が付与された導電性粒子の分散が補助される。
【００９４】
図４（ａ）及び（ｂ）に示すように、酸化剤ガスは、アノード側セパレータ１２の酸化剤ガス流路１２ｃから燃料電池セル１０内へ流入する。酸化剤ガス流路１２ｃから流入した酸化剤ガスは、その一部が、酸化剤ガス流路２１ａ及び酸化剤ガス流路１１ａを経て、隣接する燃料電池セル１０に供給されると共に、残りが、カソード電極１３の多孔体１３ａに供給される。
【００９５】
一方で、カソード電極１３の多孔体１３ａに供給された酸化剤ガスは、多孔体１３ａの空孔を矢印Ａの方向に流通し、一部が触媒層１３ｃにて反応に使用されると共に、反応に使用されなかった残りの酸化剤ガスがカソード電極１３における下端から排出される。また、反応時にカソード電極１４で生成した水もまた、カソード電極１３における下端から排出される。
【００９６】
また、図４（ａ）及び（ｂ）に示すように、燃料ガスは、アノード側セパレータ１２の燃料ガス流路１２ａから燃料電池セル１０内へ流入する。燃料ガス流路１２ａから流入した燃料ガスは、その一部が、ガス流路２１ｂ（図２参照）及び燃料ガス流路１１ｂを経て、隣接する燃料電池セル１０に供給される。
【００９７】
燃料ガス流路１２ａから流入した燃料ガスの残りは、燃料ガス流路２１ｂ及び溝部２１ｄを経て、溝部２１ｅを矢印Ｂ１の方向に流通し、窓部２１ｇの下側の開口端面に形成された開口から、アノード電極１４の多孔体１４ａに供給される。
【００９８】
一方で、アノード電極１４の多孔体１４ａに供給された燃料ガスは、多孔体１４ａの空孔を矢印Ｂ２の方向に流通し、一部が触媒層１４ｃにて反応に使用されると共に、反応に使用されなかった残りの燃料ガスが、溝部２１ｈ及び燃料ガス流路２１ｃ（図２参照）を経て、燃料ガス流路１１ｃから排出される。
【００９９】
また、アノード電極１４に存在する余剰の液体水は、アノード電極１４の下端から排出され、アノード電極１４の下方に開口された水溜め部４０が受け、水溜め部４０の内部空間に液体水Ｗとして貯留することができる。
【０１００】
図５に示すように、水溜め部４０に液体水Ｗが貯留された状態で、燃料ガスが溝部２１ｅを矢印Ｂ１の方向に流通すると、その流れによって、水溜め部４０に貯留されている液体水Ｗがピンホール２１ｆから吸い出され、燃料ガスの流れ（矢印Ｂ１）によって上方へ噴出される。このように、本実施形態の燃料電池セル１０の構成によれば、水溜め部４０に貯留された液体水Ｗを、発電に利用する燃料ガスの流れを利用して、アノード電極１４に供給することができるのである。
【０１０１】
ここで、以下の式（ＩＩ）を用いて、ピンホール２１ｆから液体水Ｗを流出させるのに必要な燃料ガスの流速ＵＨについて考慮する。なお、式（ＩＩ）は、溝部２１ｅを通過する燃料ガスの流速がＵＨであるときにピンホール２１ｆが受ける圧力をＰａ［Ｎ／ｍ２］とし、水溜め部４０内の流速がゼロであると仮定したとき、水溜め部４０内のガス圧力（水溜め部４０の気相圧力）をＰｂ［Ｎ／ｍ２］とするモデルに対し、ベルヌーイの定理を展開したものである。
【０１０２】
ＵＨ＝√｛２（Ｐｂ−Ｐａ）／ρＨ｝    …（ＩＩ）
ＵＨ：燃料ガス流速［ｍ／ｓ］
ρＨ：燃料ガス密度［ｋｇ／ｍ３］
【０１０３】
ここで、（Ｐｂ−Ｐａ）は、Ｎ／ｍ２単位の毛管圧に相当するので、式（ＩＩ）は、以下の式（ＩＩＩ）として取り扱うことができる。
【０１０４】
ＵＨ＝√｛２（ｈ’）／ρＨ｝    …（ＩＩＩ）
ｈ’：毛管圧［Ｎ／ｍ２］
【０１０５】
毛管圧が０．０１〜０．０５［ｍＡｑ］程度であり、燃料ガスとして水素ガスを使用した場合に、水素密度ρＨに影響する環境温度を１０〜８０［℃］であるという条件下では、ピンホール２１ｆから液体水Ｗを流出させるのに必要な燃料ガス（水素ガス）の流速ＵＨとして、４０〜１２０［ｍ／ｓ］程度が必要であると算出される。
【０１０６】
なお、１０〜８０［℃］の環境温度において、燃料電池セル１０を１［Ａ／ｃｍ２］の電流密度で運転するのに必要な消費水素量ＶＨは、ファラデーの法則より、１．０１１２〜１．２６１４［Ｌ／ｍｉｎ］程度であるので、上述した必要燃料ガス流速ＵＨが４０〜１２０［ｍ／ｓ］を流通させるための流路断面積は、０．１〜０．４ｍｍ２程度であると算出される。
【０１０７】
以上説明したように、本実施形態の燃料電池セル１０によれば、アノード電極１４の下方には、アノード電極１４の下端に対向する開口を有する水溜め部４０が形成されており、アノード電極１４の下端から重力によって落下する余剰水を水溜め部４０に貯留することができる。
【０１０８】
水溜め部４０には、燃料ガスの流路となる溝部２１ｅに連通するピンホール２１ｆが形成されているので、溝部２１ｅに十分な流速で燃料ガスを流通させることによって、水溜め部４０の内部に貯留されている液体水Ｗがピンホール２１ｆから吸い出され、燃料ガスの流れによって、アノード電極１４へ向けて噴出される。
【０１０９】
このように、本実施形態の燃料電池セル１０の構成によれば、水溜め部４０に貯留された液体水Ｗを、発電に利用する燃料ガスの流れを利用して、アノード電極１４に供給することができる。
【０１１０】
また、本実施形態の燃料電池セル１０によれば、アノード電極１４における多孔体１４ａが、親水性のチタン繊維から構成されている上に、表面に固体高分子電解質による薄膜が被覆されたことにより、表面にさらなる親水性が付与されている。よって、かかる多孔体１４ａは、ピンホール２１ｆから噴出された液体水を、その厚さ方向に容易に拡散することができ、その結果として、かかる液体水を細孔層１４ｂへ確実に移動させ得る。
【０１１１】
さらに、本実施形態の燃料電池セル１０によれば、アノード電極１４における細孔層１４ｂが、親水性が付与された導電性粒子と撥水性のバインダーであるＰＴＦＥとを含んで構成されるので、かかる細孔層１４ｂ内には、親水性が付与された導電性粒子に起因する親水性領域が形成され、多孔体１４ａから移動してきた液体水を、かかる親水性領域を経由させて触媒層１４ｃ及び固体高分子電解質１５へ容易に供給することができる。
【０１１２】
その一方で、細孔層１４ｂ内には、撥水性のバインダーに起因して形成される撥水性領域も形成されている。細孔層１４ｂ内の水は、撥水性領域に比べて親水性領域を優先的に通過するので、水の流路と燃料ガスの流路とが分離され易い。よって、撥水性領域が水によって閉塞されてガス流路が閉塞されることを防止できると共に、触媒層１４ｃへのガス供給性も確保される。
【０１１３】
このように、本実施形態の燃料電池セル１０によれば、アノード電極１４の多孔体１４ａ及び細孔層１４ｂは、いずれも、その表面（少なくとも一部の表面）に付与された親水性によって、厚さ方向に触媒層１４ｃへ実質的に連続する親水性領域（親水性経路）が形成されている。
【０１１４】
そのため、かかる親水性領域の存在によって、ピンホール２１ｆからアノード電極１４（特に、多孔体１４ａ）へ向けて噴出された液体水を、触媒層１４ｃ及び固体高分子電解質１５へ効率的に供給することができる。従って、本実施形態の燃料電池セル１０によれば、水分不足に陥り易い触媒層１４ｃ及び電解質１５を確実に湿潤させることができ、優れた発電性能を発揮させることができるのである。
【０１１５】
ここで、本実施形態の燃料電池セル１０における触媒層１４ｃ及び固体高分子電解質１５の加湿は、上述したように発電に必要な燃料ガスの流れを利用し、電気化学反応の結果としてアノード電極１４側に生じた余剰水を再利用するものである。即ち、本実施形態の燃料電池セル１０によれば、動力を要する水分供給装置を別途設けることなく触媒層１４ｃ及び固体高分子電解質１５を加湿することができるので、発電システム全体の大型化や製造コストの増大などを招くことなく発電性能を向上させることができる上に、発電したエネルギーが駆動源として消費されることも回避できる。
【０１１６】
特に、アノード電極１４側の水分が不足しがちな高電流密度での運転時には、必然的に、燃料ガスの流量（流速）も増加するので、その結果として、ピンホール２１ｆからの水の噴出量も増大することとなり、アノード電極１４側へのより多くの水分を供給することができる。従って、高電流密度での運転時においても、触媒層１４ｃ及び固体高分子電解質１５を確実に湿潤させることができ、発電性能の劣化を抑制することができる。また、インピーダンス計測などのフィードバック制御機構を要することなく、固体高分子電解質膜１５中の水分を制御することができる。
【０１１７】
なお、本実施形態の燃料電池セル１０によれば、アノード電極１４における多孔体は、導電性を有する多孔体として構成されており、かかる導電性多孔体は、相互に連通する空孔によって水が厚さ方向及び面方向全体に拡散されるので、従来において一般的であるリブ付きのセパレータを用いるタイプの燃料電池セルに比べ、触媒層１４ｃ及び固体高分子電解質膜１５への水分の供給領域を広くすることができる。よって、触媒層１４ｃ及び固体高分子電解質膜１５への水分の供給をより効率的に行うことができ、その結果として、発電性能をより有効に向上させることができるという点においても好ましい。
【０１１８】
また、本実施形態の燃料電池セル１０によれば、インナーマニホールド２１が、撥水性を有する樹脂から構成されているので、ピンホール２１ｆの内周面を撥水性に構成することができる。ピンホール２１ｆの内周面が撥水性に構成されていることにより、運転が停止された場合、即ち、燃料ガスの流量（流速）がゼロとなる場合に、水溜り部５０に貯留されている液体水の流出を毛管排除圧によって防止することができる。
【０１１９】
また、本実施形態の燃料電池スタック５０によれば、アノード電極１４側が好適に加湿される上述した本実施形態の燃料電池セル１０が電気的に直接接続して構成されるので、一部の燃料電池セル１０におけるドライアップ現象に起因する発電不能の発生を防止できる。
【０１２０】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【０１２１】
例えば、上記実施形態では、カソード電極１３を、多孔体１３ａと細孔層１３ｂと触媒層１３ｃとを有する構成としたが、固体高分子電解質１５に当接する触媒層を有していれば、その構成は特に限定されない。例えば、固体高分子電解質１５に当接する触媒層をカソード電極とし、従来において一般的であるリブ付きのセパレータを用いてリブ間に形成される酸化剤ガス流路から触媒層（カソード電極）へ酸化剤ガスを供給する構成などであってもよい。
【０１２２】
また、上記実施形態では、アノード電極１４において、多孔体１４ａ及び細孔層１４ｂを、触媒層１４ｃへ燃料ガスを供給する流路として利用する構成としたが、触媒層１４ｃへ燃料ガスを供給する流路は、このような構成に限定されない。例えば、細孔層１４ｂを用いることなく多孔体１４ａのみであってもよい。また、細孔層１４ｂに換えて、従来において一般的に用いられていたガス拡散層のような層であってもよい。ただし、水を流通可能な親水性領域（親水性経路）を有していることが必須である。
【０１２３】
また、上記実施形態では、アノード電極１４が多孔体１４ａを含み、かかる多孔体１４ａの空孔を燃料ガスの通路として機能させたが、多孔体１４ａに換えて、導電性を有するシート状の網状部材（例えば、エキスパンドメタルや金網など）や、多数の貫通孔が形成された導電性板を凹凸形状に成形して得られるセパレータを燃料ガスの通路として使用する構成としてもよい。その際には、これらのセパレータの表面に親水性を付与すること（例えば、親水性材料からの形成や、親水性材料の被覆や、表面の処理による親水性の付与）が好ましい。導電性を有するシート状の網状部材や、多数の貫通孔が形成された導電性板を凹凸形状に成形して得られるセパレータを用い、そのセパレータの表面に親水性を付与することにより、上記実施形態の燃料電池セル１０と同様の、触媒層１４ｃ及び固体高分子電解質１５の加湿作用を得ることができる。
【０１２４】
また、上記実施形態では、アノード電極１４の多孔体１４ａとして、表面に固体高分子電解質による薄膜が被覆されたチタン繊維焼結板を用いたが、チタン繊維焼結板のように、親水性を有する材料で構成された多孔体（導電性多孔体）であれば、触媒層１４ｃ及び固体高分子電解質１５の加湿作用を得ることは可能である。
【０１２５】
また、上記実施形態では、アノード電極１４の細孔層１４ｂを、親水性が付与された導電性粒子（カーボン粒子）とＰＴＦＥとから構成されるものとしたが、親水性が付与された導電性粒子だけでなく、未処理の導電性粒子を含んでいてもよい。
【０１２６】
また、上記実施形態では、アノード電極１４の細孔層１４ｂを、親水性が付与された導電性粒子（カーボン粒子）を含んで構成し、その細孔層１４ｂに親水性を付与する（親水性領域を形成する）構成としたが、親水性が付与された導電性粒子に換えて未処理の導電性粒子を使用し、撥水性のバインダーに換えて親水性のバインダー（例えば、ＰＭＭＡやポリカーボネートなど）を使用し、親水性のバインダーに起因する親水性領域を形成する構成としてもよい。
【０１２７】
また、上記実施形態では、インナーマニホールド２１を、撥水性を有する樹脂から構成したが、撥水性を有する樹脂からピンホール２１ｆ部分を含む一部材のみを形成し、金属などによって形成されたインナーマニホールドに装着するような構成であってもよい。また、水溜め部４０のみを別部材から構成して装着するような構成であってもよい。なお、水溜め部４０及びピンホール２１ｆを含むインナーマニホールド２１を、撥水性を有する樹脂から一体成形により製造することにより、部品点数や製造工程を増やすことなく容易に、水溜め部４０及びピンホール２１ｆを有する燃料電池セル１０を製造することができる。
【０１２８】
また、上記実施形態では、ピンホール２１ｆを１つだけ有する構成としたが、かかるピンホールの数は１つに限定されず、複数形成されていていてもよい。例えば、図２に示したインナーマニホールド２１において、略中央に形成されているピンホール２１ｆの左右方向（図２における矢印Ｌ−Ｒ方向）に同様のピンホールを複数有し、各ピンホールに、溝部２１ｄから延びる溝部２１ｆと同様の溝部が形成される構成であってもよい。
【０１２９】
なお、上記各実施形態として例示した本発明の燃料電池セル及び燃料電池スタックは、電気自動車などの移動用電源、屋外据え置き用電源、ポータブル電源、携帯電子機器用電源などの各種電源として利用可能である。
【図面の簡単な説明】
【０１３０】
【図１】本発明の一実施形態における燃料電池セルを有する燃料電池スタックを模式的に示す斜視図である。
【図２】燃料電池セルの分解斜視図である。
【図３】（ａ）は、図２に示すインナーマニホールドのＺ−Ｚ線における断面を矢印ＩＩＩａ方向から見た場合の断面図であり、（ｂ）は、図２に示すインナーマニホールド２１における裏面側の斜視図である。
【図４】（ａ）は、図２の矢印ＩＶａ方向から見た燃料電池セルの平面図であり、（ｂ）は、（ａ）におけるＩＶｂ−ＩＶｂ線における燃料電池セルの断面図である。
【図５】図４（ｂ）におけるＥ部の拡大図である。
【符号の説明】
【０１３１】
１０      燃料電池セル
１３ｃ    触媒層（第２の触媒層）
１４ａ    多孔体（ガス流通部の一部，導電性多孔体）
１４ｂ    細孔層（ガス流通部の一部，細孔層）
１４ｃ    触媒層（第１の触媒層）
１５      固体高分子電解質膜
２１ｆ    ピンホール（小孔）
４０      水溜め部
５０      燃料電池スタック
【図１】
2009076404.tif 000003
【図２】
2009076404.tif 000004
【図３】
2009076404.tif 000005
【図４】
2009076404.tif 000006
【図５】
2009076404.tif 000007